(57)【要約】      （修正有）【課題】必要に応じてラケットの特性を調整することが可能な多機能ラケットを提供する。【解決手段】多機能ラケット１０は、フェースフレーム２０と、当該フェースフレーム２０から延出する連接部と、当該連接部の末端部に設けられるグリップと、四個の振動減衰部材４０とを備える。当該フェースフレーム２０は、二つの長溝２２および当該二つの長溝２２内にそれぞれ装着される八個の補強リブ２４とを有して一の主平面Ｐ上に位置し、当該長溝２２の延伸方向Ｘは当該主平面Ｐに対してほぼ垂直であり、当該フェースフレーム２０は一のガット２８を貫設して一のラケットフェースを形成するための複数のガット孔を有し、当該ガット孔は、前記長溝２２中において前記補強リブ２４の両側にそれぞれ位置する。【選択図】図２
0003135520.tif 000002
【実用新案登録請求の範囲】
【請求項１】
少なくとも一つの長溝と当該長溝内に位置する少なくとも一個の補強リブとを有する一つのフェースフレームを備え、当該フェースフレームは一の主平面上に位置し、当該長溝の延伸方向は当該主平面に対して垂直である多機能ラケット。
【請求項２】
前記フェースフレームの長溝に装着される振動減衰部材を少なくとも一個有する請求項１に記載された多機能ラケット。
【請求項３】
前記振動減衰部材は、前記フェースフレームの補強リブを収容するための第一凹溝を少なくとも一つ有する請求項２に記載された多機能ラケット。
【請求項４】
前記フェースフレームは、ガットを貫設するための複数のガット孔を有し、前記振動減衰部材は、ガットを挿通する第二凹溝を少なくとも一つ有する請求項２に記載された多機能ラケット。
【請求項５】
前記振動減衰部材は、前記フェースフレームの外縁に密着する一つのヘッド部と、当該ヘッド部から延出して長溝内に位置する一つのボディ部とを有する請求項２に記載された多機能ラケット。
【請求項６】
前記振動減衰部材の数量は二個であって、それぞれ前記長溝の両端から挿入され、隣接して末端部において互いに密着する請求項２に記載された多機能ラケット。
【考案の詳細な説明】
【技術分野】
【０００１】
本考案は運動器材に関するものであって、特に、空気抵抗を減少させることができ、かつ重心位置と振動減衰効果を変更可能な多機能ラケットに関する。
【背景技術】
【０００２】
一般に、バドミントンラケット、テニスラケット、スカッシュラケットといったラケット類は、重量、重心位置、ガットの張力、振動減衰効果等、固有の特性を有しており使用者は各々の好みに合わせて特定のラケットを選択する。外的あるいは内的事情によって異なる特性を有するラケットを使用したいときには、ラケットを複数携帯しておく必要があり、使用者にとって不便であるだけでなく、経済的でない。
【考案の開示】
【考案が解決しようとする課題】
【０００３】
本考案は、必要に応じてラケットの特性を調整することが可能な多機能ラケットを提供することを目的とする。
また、本考案は、使用者にとって携帯に便利であり、かつ経済的負担を軽減することが可能な多機能ラケットを提供することを目的とする。
また、本考案は、ラケットを振る際の空気抵抗を減少させることができ、かつラケットの重心位置とラケットの振動減衰効果を変更可能な多機能ラケットを提供することを目的とする。
【課題を解決するための手段】
【０００４】
このような目的を達成するために、本考案の提供する多機能ラケットは、フェースフレームと、当該フェースフレームから延出する連接部と、連接部の自由端に設けられるグリップとを一つずつ備え、前記フェースフレームは、少なくとも一つの長溝と当該長溝内に位置する少なくとも一つの補強リブとを有して一の主平面上に位置し、さらに前記長溝の延伸方向は当該主平面に対して垂直であることにより、ラケットを振る際の空気抵抗を減少させることが可能である。また、前記ラケットはさらに、前記フェースフレームの長溝内に装着される振動減衰部材を少なくとも一つ有することにより、ラケットの重心位置と振動減衰性能を変更することができるため、使用者が自ら調整可能な種々の機能を備えることとなり、携帯に便利かつ経済的という二つの効果を併せ持つことが可能となる。
【考案を実施するための最良の形態】
【０００５】
本考案の特徴をより明確にするために、以下に二つの実施の形態を示す。
（第１実施形態）
図１から図３に示すとおり、本考案の第１実施形態による多機能ラケット１０は、フェースフレーム２０と、当該フェースフレーム２０から延出する連接部３０と、当該連接部３０の末端部に設けられるグリップ３２と、四個の振動減衰部材４０とを備え、また、本実施形態では当該ラケット１０の一例としてテニスラケットを挙げている。
【０００６】
当該フェースフレーム２０は、二つの長溝２２および当該二つの長溝２２内にそれぞれ装着される八個の補強リブ２４とを有して一の主平面Ｐ上に位置し、当該長溝２２の延伸方向Ｘは当該主平面Ｐに対してほぼ垂直であり、当該フェースフレーム２０は一のガット２８を貫設して一のラケットフェース２９を形成するための複数のガット孔２６を有し、当該ガット孔２６は、前記長溝２２中において前記補強リブ２４の両側にそれぞれ位置する。
【０００７】
図４から図６に示すとおり、前記各振動減衰部材４０は各々、前記フェースフレーム２０の外縁に密着するヘッド部４２と、当該ヘッド部４２から延出して前記長溝２２内に位置するボディ部４４とを一つずつ有し、当該ボディ部４４は、前記フェースフレーム２０の補強リブ２４を収容するための四つの第一凹溝４５と、前記ガット２８を挿通するための第二凹溝４６とを有しており、組み立て時には、二個の振動減衰部材４０を前記長溝２２の両端から装入し、二つを隣接させてボディ部４４の末端部で互いに密着するようにし、さらに、当該二個の振動減衰部材４０のヘッド部４２を利用して、前記二個の振動減衰部材４０を当該長溝２２の両端に係着する。つまり、当該振動減衰部材４０と前記フェースフレーム２０とを結合させる。
【０００８】
当該振動減衰部材４０は、熱可塑性ゴム（ｔｈｅｒｍｏｐｌａｓｔｉｃ  ｒｕｂｂｅｒ）、ポリウレタン（ＰＵ）、ポリエーテルブロックアミド共重合体（ＰＥＢＡＸ，登録商標）などの弾性プラスチックあるいは弾性ゴムを材料として形成され、打球時に前記フェースフレーム２０が受ける振動を減衰させることが可能であるとともに、振動減衰部材４０は規格ごとに重量および振動減衰性能が異なるため、使用者が必要に応じて振動減衰部材４０を交換してラケットの振動減衰性能を調整したり、ラケットの重心位置を変更したりすることも可能であり、異なる打球効果を実現できる。
【０００９】
また、当該振動減衰部材４０は必要に応じて取り外すことができるが、前記長溝２２の延伸方向と主平面Ｐ（ラケットフェース２９）とはほぼ垂直、すなわち前記長溝２２の延伸方向と打球方向とはほぼ平行であるため、ラケットを振る際、前記長溝２２によって空気が前記フェースフレーム２０を通過し、ラケットを振る際の空気抵抗を大きく減少させることが可能となる。当該長溝２２が設けられることによって当該フェースフレーム２０の構造強度は低減してしまうが、前記補強リブ２４を前記ガット孔２６の間に装着することでフェースフレーム２０の構造強度を補強することができる。
【００１０】
言い換えれば、本考案の提供するラケット１０によると、使用者は必要に応じて異なる振動減衰部材４０をフェースフレーム２０に装着することによって、ラケット１０の重心位置や振動減衰性能を変更することが可能であり、さらには当該振動減衰部材４０を取り外すことによって重量を低減させ、空気抵抗を減少させることも可能であるため、前記ラケット１０の特性はいずれも必要に応じて調整可能となり、使用者は特性の異なる複数のラケットを携帯する必要がなく、便利であるとともに使用者の経済的負担も軽減する。
（第２実施形態）
本考案は、スカッシュラケットなどその他のラケットに応用することが可能である。図７に示すように、本考案の第２実施形態による多機能ラケット５０はスカッシュラケットであって、フェースフレーム５２の頭部及び左右両側に、二個の振動減衰部材５６を収容するための長溝５４が一つずつ設けられており、機能的により多様な変形を可能としている。
【００１１】
前記ラケット構造についても種々の変形例が考えられる。例えば、長溝の数と位置とは変更可能であり、前記フェースフレーム２０に少なくとも一つの長溝２２が設けられていればよく、長溝２２内の補強リブ２４の数と形状も変更可能である。また、前記振動減衰部材４０は密閉方式で当該長溝２２に嵌装してもよく、当該振動減衰部材４０の第一凹溝４５と第二凹溝４６の数および位置についても、いずれも変更可能である。これら容易に想到可能な変形例は、いずれも本考案の権利範囲に含まれる。
【図面の簡単な説明】
【００１２】
【図１】本考案の第１実施形態による多機能ラケットの正面図である。
【図２】本考案の第１実施形態による多機能ラケットの部分断面図である。
【図３】本考案の第１実施形態による多機能ラケットのフェースフレームの一部分の正面図である。
【図４】本考案の第１実施形態による多機能ラケットの振動減衰部材の立体図である。
【図５】図２の５―５線に沿った断面図である。
【図６】図２の６―６線に沿った断面図である。
【図７】本考案の第２実施形態による多機能ラケットの正面図である。
【符号の説明】
【００１３】
１０：多機能ラケット、２０：フェースフレーム、２２：長溝、２４：補強リブ、Ｐ：主平面、Ｘ：延伸方向、２６：ガット孔、２８：ガット、２９：ラケットフェース、３０：連接部、３２：グリップ、４０：振動減衰部材、４２：ヘッド部、４４：ボディ部、４５：第一凹溝、４６：第二凹溝、５０：多機能ラケット、５２：フェースフレーム、５４：長溝、５６：振動減衰部材
【図１】
0003135520.tif 000003
【図２】
0003135520.tif 000004
【図３】
0003135520.tif 000005
【図４】
0003135520.tif 000006
【図５】
0003135520.tif 000007
【図６】
0003135520.tif 000008
【図７】
0003135520.tif 000009